(57)【特許請求の範囲】
【請求項１】
下面を開口した箱形の照明器具本体の内部に、ランプを装着することにより
スイッチが入り、ランプを取外すことによりスイッチが切れる安定器の電源を入り切りするスイッチを有するソケットを配置してなる照明装置において、
前記照明器具本体の上面に、内側にソケットを有する天板を配置し、天板の大きさはソケットが位置する照明器具本体の外周より大きく構成し、また天板の上面に電源用端子台と安定器二次側端子台を配置し、さらに天板は照明器具本体の上面より取外すことができるように構成したことを特徴とする照明装置。
【発明の詳細な説明】
【０００１】
【発明の属する技術分野】
本発明は照明装置の改良に関する
【０００２】
【従来の技術】
従来、デパートやホテルのロビー等において使用する照明装置は、天井面に埋込んだ多数の照明器具を送り配線により接続し、一つのスイッチで操作し、照明器具に装着したランプを点灯または消灯するように構成してある。
また他の照明装置としては、各照明器具にスイッチを設け、各照明器具毎に点灯または消灯するように構成したものがある。
【０００３】
【発明が解決しようとする課題】
ところで、ランプとして放電ランプを用いると、安定器に安全機能としてパルス停止機能があり、ランプ不点灯時には、例えば約２０分後にパルスが停止し、安定器を保護する。
しかし、ランプ交換時には、電源を一度切った状態にし、再度電源を投入しない限り、パルスが発生しないのでランプが点灯しないという問題点があった。
特に、屋内施設で、送り配線により構成された照明装置の場合は、１灯の不点灯ランプを交換する際に、電源を一度切り、再度電源を投入するには、一灯のみ消灯することができず、ブロックごとのランプを全部消灯しなければならない。
しかし、デパートやホテルのロビー等において、ランプの交換あるいは照明器具の保守に際して、営業中に多数のランプを消灯し作業を進めることは実際上好ましくない。
また各照明器具毎にスイッチを取付ける構造とすると、構造が複雑となると共にコスト高となり、さらにダウンライトにおいては、デザイン上、照明器具の内部にスイッチがある場合が多いため、営業中に照明器具の枠や反射板を取り外す作業が必要となる欠点がある。
【０００４】
本発明は上記の点に鑑み発明したものであって、簡単な構造で、他のランプを消灯することなく、ランプを交換することができ、安全且つ安価に製造することができる照明装置を提供することを目的とする。
【０００５】
【課題を解決するための手段】
本発明は上記した課題を解決するために次の構成とする。請求項１に記載の発明は、下面を開口した箱形の照明器具本体の内部に、ランプを装着することによりスイッチが入り、ランプを取外すことによりスイッチが切れる安定器の電源を入り切りするスイッチを有するソケットを配置してなる照明装置に関する。
そして前記照明器具本体の上面に、内側にソケットを有する天板を配置し、前記天板の大きさはソケットが位置する照明器具本体の上端外周より大きく構成し、また天板の上面に電源用端子台と安定器二次側端子台を配置し、さらに天板は照明器具本体の上面より取外すことができるように構成してある。
【０００８】
【発明の実施の形態】
以下本発明を図１乃至図４について説明する。図１において、１は下面を開口した箱形の照明器具本体であって、外周に空気孔２を有しており、例えば建物の天井への埋込形照明器具として使用する。３は照明器具本体１の上面に配置してなる天板であって、照明器具本体の上端外周より大きく構成してある。４は照明器具本体１の天板３の内面に固定してなるソケットであって、ソケット本体５と、ソケット本体５の空洞部に固定してなる受金６と、電気接触片１７の他に二つの接点７と８を有して構成してある。同ソケット４に、ランプを装着すると、図３に示すように電気接触片１７を介して絶縁物で作られた可動部品１８により二つの接点７と８が接触してスイッチが入り、安定器の１次側が導通しランプが点灯するように構成してある。またランプを取外すと二つの接点７と８が離れ安定器の１次側が切れランプが消灯する。同ソケット４におけるスイッチは安定器の電源を入り切りする機能を有して構成してある。９はソケット４に装着してなるランプであって、例えば１５０ワットの放電ランプを用いて構成してある。
【０００９】
１０は照明器具本体の天板の上面に配置してなる電源用端子台、１１は照明器具本体の天板の上面に配置してなる安定器二次側端子台である。また同電源用端子台１０と、安定器二次側端子台１１は、照明器具本体の天板の外周近傍の上面に配置して構成するとよい。天板の外周近傍は中央付近に比較し、ランプからの熱による温度上昇が小さく、電源用端子台１０と、安定器二次側端子台１１が熱による悪影響を受けることがない。例えば１５０ワットの放電ランプを用いた場合、照明器具本体の天板の上面の中央付近は、約８０度程度となるが、天板の外周近傍は約６０度程度である。また電源用端子台１０と安定器二次側端子台１１は間隔を有して天板の上面に配置すると、誤配線をする可能性が少ない。１２は照明器具本体１の下端に支持してなる笠体、１３は笠体１２の内部に設けてなる反射体である。
【００１０】
また上記した照明器具本体の天板の大きさは、ソケット４が位置する照明器具本体１の上部外周より大きく構成してある。天板３の大きさをソケットを固定してなる照明器具本体１の上部外周より大きく構成し、さらに電源用端子台１０と安定器二次側端子台１１を天板２の外周近傍に設けることにより、電源用端子台１０と安定器二次側端子台１１の温度上昇を低く抑えると共に、両端子台に接続するケーブル１４が、ランプを収納してなる照明器具本体の外壁に直接接触することがなく、ケーブルが熱による悪影響を受けることがない。
【００１１】
また上面に電源用端子台１０と安定器二次側端子台１１を配置してなる天板３は、照明器具本体の上面より取外すことができるように構成してある。天板３は例えばビスにより照明器具本体１の上面に固定する。
【００１２】
次に上記した照明装置の回路図を図４に示す。図４において、９はソケット４に装着してなるランプ、１０は照明器具本体１の上面に配置してなる天板の上面に配置してなる電源用端子台、１１は照明器具本体１の上面に配置してなる天板の上面に配置してなる安定器二次側端子台、１５は電源であって、ケーブルの一端を電源用端子台１０に接続して構成してある。１６は放電ランプ用安定器であって、一次側電線をソケット４の接点７に接続し、接点８から電源用端子台１０に接続し、二次側を安定器二次側端子台１１に接続し、ここからソケット４の受け金６と電気接触片１７に結線して構成してある。また同放電ランプ用安定器１６は保護回路としてパルス停止機能を有し、ランプに不点灯が発生した場合には、例えば約２０分後にパルスが停止し、安定器を保護する。さらに再始動するにはランプを交換するだけで、ソケットの接点が一度離れた後接触し、電源を投入した状態となり、ランプは点灯する。
以上の回路構成によりランプを交換するだけで、ランプは点灯するので、従来の照明装置のように、電源を一度切った後、再投入する必要がなく、不点灯となったランプを交換するだけで簡易にランプ交換作業を行うことができる。
【００１３】
次に上記した照明装置の使用例について説明する。
▲１▼上記した照明器具を例えばデパートやホテルのロビーの天井面に多数灯を所定の間隔で埋込み支持する。
▲２▼特定の照明器具におけるランプが切れ交換する場合、切れたランプを取外すことにより、そのソケット内のスイッチの作用により安定器の電源が遮断する。また新しいランプをソケットに装着することにより、そのソケット内のスイッチの作用により安定器の電源が入りランプは点灯する。従って、複数の照明器具のランプを消灯することなく、ランプの交換作業を行なうことができる。
▲３▼また、電源用端子台と安定器二次側端子台は、照明器具本体の縦壁と天板の接合部より外側に位置して配置して構成してあるので、両端子台が高熱により悪影響を受けることがない。さらに照明器具本体の天板はソケットが位置する照明器具本体の外周より大きく構成してあるので、端子台に接続してなるリード線が照明器具本体に接触し、熱的損傷を受ける危険性がない。
【００１４】
【発明の効果】
請求項１に記載の発明によると、簡単な構造で、他のランプを消灯することなくランプ交換を行うことができ、安価に製造することができる。また電源用端子台、安定器二次側端子台及びケーブル等が熱的損傷を受ける危険性がない特別な効果がある。さらに電源用端子台と安定器二次側端子台を配置してなる天板を照明器具本体の上面から取外すことにより、ランプの交換や照明器具の内部の保守点検を容易に行うことができ、天井裏の空間広い例えばスポーツ施設等において特別な効果を得ることができる。
【図面の簡単な説明】
【図１】本発明に係る照明装置の側面図。
【図２】図１に示す照明装置の平面図。
【図３】図１におけるソケット部の概略側面図。
【図４】本発明にかかる照明装置の回路図。
【符号の説明】
１  照明器具本体
２  空気孔
３  天板
４  ソケット
５  ソケット本体
６  受金
７，８  接点
９  ランプ
１０  電源用端子台
１１  安定器二次側端子台
１２  笠体
１３  反射体
１４  ケーブル
１５  電源
１６  放電ランプ用安定器
【図１】
0004110333.tif 000002
【図２】
0004110333.tif 000003
【図３】
0004110333.tif 000004
【図４】
0004110333.tif 000005